(57)【要約】      （修正有）【課題】ＬＴＥ無線アクセス技術を使用して、可変数の送信アンテナまたは受信アンテナを用いて、信号を送信および受信することが可能な、適応アンテナ管理のための方法および装置を提供する。【解決手段】ユーザ機器（ＵＥ）は、チャネル状態情報（ＣＳＩ）フィードバックを送信することまたはアップリンク基準信号を送信することのうちの少なくとも１つの各送信タイミングに基づいて、アップリンク通信またはダウンリンク通信のうちの少なくとも１つのための異なるアンテナ構成間で切り替えるための切替えポイントを導出し、決定する。ＵＥは、決定に基づいてＣＳＩフィードバックまたはアップリンク基準信号のうちの少なくとも１つを送信するためのパラメータを調整する。【選択図】図７
2018026820.tif 000002
【特許請求の範囲】
【請求項１】
ユーザ機器（ＵＥ）によるワイヤレス通信のための方法であって、
前記ＵＥがアップリンク通信またはダウンリンク通信のうちの少なくとも１つのための異なるアンテナ構成間で切り替えるための切替えポイントを決定することと、
前記決定に基づいてチャネル状態情報（ＣＳＩ）フィードバックまたはアップリンク基準信号のうちの少なくとも１つを送信するためのパラメータを調整することと
を備える、方法。
【請求項２】
前記切替えポイントを決定することは、
前記ＣＳＩフィードバックを送信することまたはアップリンク基準信号を送信することのうちの少なくとも１つのタイミングに基づいて切替えポイントを導出すること
を備える、請求項１に記載の方法。
【請求項３】
ダウンリンクアンテナ構成間で切り替えるための切替えポイントは、前記ＵＥがＣＳＩフィードバックを送信するときと一致する、
請求項２に記載の方法。
【請求項４】
ダウンリンクアンテナ構成間で切り替えるための切替えポイントは、前記ＵＥがアップリンク基準信号を送信するときと一致する、
請求項２に記載の方法。
【請求項５】
前記切替えポイントを決定することは、
定義された周期性またはオフセットのうちの少なくとも１つに基づいて切替えポイントを決定すること
を備える、請求項１に記載の方法。
【請求項６】
切替えポイントの後に使用すべきアンテナ構成を選択することと、
前記選択されたアンテナ構成のインジケーションを与えることと
をさらに備える、請求項５に記載の方法。
【請求項７】
切替えポイントの後に使用すべきアンテナ構成のインジケーションを受信すること
をさらに備える、請求項５に記載の方法。
【請求項８】
複数のアンテナ構成のためにＣＳＩフィードバックを与えること
をさらに備える、請求項１に記載の方法。
【請求項９】
前記複数のアンテナ構成のために与えられた前記ＣＳＩフィードバックに少なくとも部分的に基づいて選択されたアンテナ構成のインジケーションを受信すること
をさらに備える、請求項８に記載の方法。
【請求項１０】
前記ＵＥは、アップリンク送信のために利用可能な物理アンテナの数に基づいて複数のアップリンクアンテナ構成で構成される、
請求項１に記載の方法。
【請求項１１】
選択されたアップリンクアンテナ構成上でアップリンク基準信号を送信すること
をさらに備える、請求項１に記載の方法。
【請求項１２】
前記ＵＥは、直近の送信されたＣＳＩフィードバックに対応するダウンリンク送信を処理するためのダウンリンクアンテナ構成を利用するように構成される、
請求項１に記載の方法。
【請求項１３】
アンテナ構成にわたるレイヤの最大サポート可能数に基づいてランクインジケーション（ＲＩ）ビット幅を決定すること
をさらに備える、請求項１に記載の方法。
【請求項１４】
周期フィードバックおよび非周期フィードバックのために別々にランクインジケーション（ＲＩ）ビット幅を決定すること
をさらに備える、請求項１に記載の方法。
【請求項１５】
基地局（ＢＳ）によるワイヤレス通信のための方法であって、
ユーザ機器（ＵＥ）がアップリンク通信またはダウンリンク通信のうちの少なくとも１つのための異なるアンテナ構成間で切り替えるための切替えポイントを決定することと、
前記決定に基づいてチャネル状態情報（ＣＳＩ）フィードバックまたはアップリンク基準信号のうちの少なくとも１つを処理するために使用されるパラメータを調整することと
を備える、方法。
【請求項１６】
前記切替えポイントを決定することは、
前記ＵＥが前記ＣＳＩフィードバックを送信することまたは前記ＵＥがアップリンク基準信号を送信することのうちの少なくとも１つのタイミングに基づいて切替えポイントを導出すること
を備える、請求項１５に記載の方法。
【請求項１７】
ダウンリンクアンテナ構成間で切り替えるための切替えポイントは、前記ＵＥがＣＳＩフィードバックを送信するときと一致する、
請求項１６に記載の方法。
【請求項１８】
ダウンリンクアンテナ構成間で切り替えるための切替えポイントは、前記ＵＥがアップリンク基準信号を送信するときと一致する、
請求項１６に記載の方法。
【請求項１９】
前記切替えポイントを決定することは、
定義された周期性またはオフセットのうちの少なくとも１つに基づいて切替えポイントを決定すること
を備える、請求項１５に記載の方法。
【請求項２０】
切替えポイントの後に使用すべきアンテナ構成を選択することと、
前記選択されたアンテナ構成のインジケーションを前記ＵＥにシグナリングすることと
をさらに備える、請求項１９に記載の方法。
【請求項２１】
切替えポイントの後に使用中のアンテナ構成のインジケーションを受信すること
をさらに備える、請求項１９に記載の方法。
【請求項２２】
複数のアンテナ構成のためにＣＳＩフィードバックを受信すること
をさらに備える、請求項１５に記載の方法。
【請求項２３】
前記複数のアンテナ構成のために与えられた前記ＣＳＩフィードバックに少なくとも部分的に基づいて選択されたアンテナ構成のインジケーションを送信すること
をさらに備える、請求項２２に記載の方法。
【請求項２４】
前記ＵＥは、アップリンク送信のために利用可能な物理アンテナの数に基づいて複数のアップリンクアンテナ構成で構成される、
請求項１５に記載の方法。
【請求項２５】
選択されたアップリンクアンテナ構成上でアップリンク基準信号を受信すること
をさらに備える、請求項１５に記載の方法。
【請求項２６】
前記ＵＥは、直近の送信されたＣＳＩフィードバックに対応するダウンリンク送信を処理するためのダウンリンクアンテナ構成を利用するように構成される、
請求項１５に記載の方法。
【請求項２７】
アンテナ構成にわたるレイヤの最大サポート可能数に基づいてランクインジケーション（ＲＩ）ビット幅を決定すること
をさらに備える、請求項１５に記載の方法。
【請求項２８】
周期フィードバックおよび非周期フィードバックのために別々にランクインジケーション（ＲＩ）ビット幅を決定すること
をさらに備える、請求項１５に記載の方法。
【請求項２９】
ユーザ機器（ＵＥ）によるワイヤレス通信のための装置であって、
前記ＵＥはアップリンク通信またはダウンリンク通信のうちの少なくとも１つのための異なるアンテナ構成間で切り替えるための切替えポイントを決定することと、前記決定に基づいてチャネル状態情報（ＣＳＩ）フィードバックまたはアップリンク基準信号のうちの少なくとも１つを送信するためのパラメータを調整することとを行うように構成される少なくとも１つのプロセッサと、
前記少なくとも１つのプロセッサに結合されたメモリと
を備える、装置。
【請求項３０】
基地局（ＢＳ）によるワイヤレス通信のための装置であって、
ユーザ機器（ＵＥ）はアップリンク通信またはダウンリンク通信のうちの少なくとも１つのための異なるアンテナ構成間で切り替えるための切替えポイントを決定することと、前記決定に基づいてチャネル状態情報（ＣＳＩ）フィードバックまたはアップリンク基準信号のうちの少なくとも１つを処理するために使用されるパラメータを調整することとを行うように構成される少なくとも１つのプロセッサと、
前記少なくとも１つのプロセッサに結合されたメモリと
を備える、装置。
【発明の詳細な説明】
【関連出願の相互参照】
【０００１】
[0001]  本特許出願は、２０１３年４月５日に出願された米国仮出願第６１／８０８，９１３号、および２０１３年４月５日に出願された米国仮出願第６１／８０９，２４３号の優先権を主張するもので、本出願の譲受人に譲渡され、これら全体が参照により本明細書に明確に組み込まれる。
【技術分野】
【０００２】
[0002]  本開示は、一般に通信システムに関し、より詳細には、複数のワイヤレスプロトコル間でデバイスの物理アンテナを共有するための方法および装置に関する。
【背景技術】
【０００３】
[0003]  ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]  これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標））である。ＬＴＥ／ＬＴＥアドバンスト（LTE（登録商標）-Advanced）は、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善することによってモバイルブロードバンドインターネットアクセスをより良くサポートすることと、コストを下げることと、サービスを改善することと、新しいスペクトルを利用することと、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することとを行うように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]  本開示のいくつかの態様は、基地局（ＢＳ）によるワイヤレス通信のための方法を提供する。本方法は、概して、サービングセルにおいてサービスされる少なくとも第１のユーザ機器（ＵＥ）と干渉するか、または潜在的に干渉する１つまたは複数のセルにおいて送信される１つまたは複数のダウンリンクチャネルのためのスケジューリング情報を決定することと、スケジューリング情報をＵＥにシグナリングすることとを含む。１つまたは複数のセルはサービングセルのネイバーであり得る。
【０００６】
[0006]  本開示のいくつかの態様は、ユーザ機器（ＵＥ）によるワイヤレス通信のための方法を提供する。本方法は、概して、サービングセルにおいてサービスされる少なくとも第１のユーザ機器（ＵＥ）と干渉するか、または潜在的に干渉する１つまたは複数のセルにおいて送信される１つまたは複数のダウンリンクチャネルのためのスケジューリング情報のシグナリングを受信することと、サービングセルまたは１つまたは複数のセルのうちの少なくとも１つからの送信による干渉を緩和するために上記情報を使用することとを含む。１つまたは複数のセルはサービングセルのネイバーを含み得る。
【図面の簡単な説明】
【０００７】
【図１】ネットワークアーキテクチャの一例を示す図である。
【図２】アクセスネットワークの一例を示す図である。
【図３】ＬＴＥにおけるＤＬフレーム構造の一例を示す図である。
【図４】ＬＴＥにおけるＵＬフレーム構造の一例を示す図である。
【図５】ユーザプレーンおよび制御プレーンのための無線プロトコルアーキテクチャの一例を示す図である。
【図６】本開示のいくつかの態様による、アクセスネットワークにおける発展型ノードＢおよびユーザ機器の一例を示す図である。
【図７】本開示のいくつかの態様による、アンテナ構成間で切り替えるときにＵＥによって行われる動作７００を示す流れ図である。
【図８】本開示のいくつかの態様による、それのアンテナ構成を切り替えたＵＥと通信するときにＢＳによって行われる動作８００を示す流れ図である。
【図９】本開示のいくつかの態様による、ＳＲＳ送信、切替えポイント、切替えポイントとアンテナ仮説切替えとの間のオフセット、および特定のアンテナ仮説の使用の期間を示すタイムライン。
【発明を実施するための形態】
【０００８】
[0016]  添付の図面に関して以下に記載する発明を実施するための形態は、様々な構成を説明するものであり、本明細書で説明する概念が実施され得る唯一の構成を表すものでない。発明を実施するための形態は、様々な概念の完全な理解を与えるための具体的な詳細を含む。しかしながら、これらの概念はこれらの具体的な詳細なしに実施され得ることが当業者には明らかであろう。いくつかの例では、そのような概念を不明瞭にしないように、よく知られている構造および構成要素をブロック図の形式で示す。
【０００９】
[0017]  次に、様々な装置および方法に関して電気通信システムのいくつかの態様を提示する。これらの装置および方法を、（「要素」と総称される）様々なブロック、モジュール、構成要素、回路、ステップ、プロセス、アルゴリズムなどによって、以下の発明を実施するための形態において説明し、添付の図面に示す。これらの要素は、ハードウェア、ソフトウェア／ファームウェア、またはそれらの組合せを使用して実装され得る。そのような要素がハードウェアとして実装されるのか、ソフトウェアとして実装されるのかは、特定の適用例および全体的なシステムに課された設計制約に依存する。
【００１０】
[0018]  例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を行うように構成される他の好適なハードウェアがある。処理システム内の１つまたは複数のプロセッサはソフトウェアを実行し得る。ソフトウェアは、ソフトウェア／ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１１】
[0019]  従って、１つまたは複数の例示的な実施形態では、説明される機能が、ハードウェア、ソフトウェア／ファームウェア、またはそれらの組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）はデータをレーザーで光学的に再生する。上記の組合せもコンピュータ可読媒体の範囲内に含まれるべきである。
【００１２】
[0020]  図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のインターネットプロトコル（ＩＰ）サービス１２２とを含み得る。ＥＰＳは他のアクセスネットワークと相互接続できるが、簡単のために、それらのエンティティ／インターフェースは図示していない。例示的な他のアクセスネットワークは、ＩＰマルチメディアサブシステム（ＩＭＳ：IP Multimedia Subsystem）パケットデータネットワーク（ＰＤＮ）、インターネットＰＤＮ、管理ＰＤＮ（例えば、プロビジョニングＰＤＮ）、キャリア固有ＰＤＮ、事業者固有ＰＤＮ、および／またはＧＰＳ  ＰＤＮを含み得る。図示のように、ＥＰＳはパケット交換サービスを提供するが、当業者なら容易に諒解するように、本開示全体にわたって提示する様々な概念は、回線交換サービスを提供するネットワークに拡張され得る。
【００１３】
[0021]  Ｅ−ＵＴＲＡＮは発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、Ｘ２インターフェース（例えば、バックホール）を介して他のｅＮＢ１０８に接続され得る。ｅＮＢ１０６は、基地局、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）フォン、ラップトップ、携帯情報端末（ＰＤＡ）、衛星無線、全地球測位システム、マルチメディアデバイス、ビデオデバイス、デジタルオーディオプレーヤ（例えば、ＭＰ３プレーヤ）、カメラ、ゲーム機、タブレット、ネットブック、スマートブック、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１４】
[0022]  ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。全てのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振り並びに他の機能を与える。ＰＤＮゲートウェイ１１８は事業者のＩＰサービス１２２に接続される。事業者のＩＰサービス１２２は、例えば、インターネットと、イントラネットと、ＩＰマルチメディアサブシステム（ＩＭＳ）と、ＰＳストリーミングサービス（ＰＳＳ：PS Streaming Service）とを含み得る。この方法では、ＵＥ１０２が、ＬＴＥネットワークを通してＰＤＮに結合され得る。
【００１５】
[0023]  図２は、ＬＴＥネットワークアーキテクチャにおけるアクセスネットワーク２００の一例を示す図である。この例では、アクセスネットワーク２００がいくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８はリモートラジオヘッド（ＲＲＨ：remote radio head）と呼ばれることがある。より低い電力クラスのｅＮＢ２０８は、フェムトセル（例えば、ホームｅＮＢ（ＨｅＮＢ））、ピコセル、またはマイクロセルであり得る。マクロｅＮＢ２０４は各々、それぞれのセル２０２に割り当てられ、セル２０２における全てのＵＥ２０６にＥＰＣ１１０へのアクセスポイントを与えるように構成される。アクセスネットワーク２００のこの例では集中コントローラがないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、全ての無線関係機能を担当する。
【００１６】
[0024]  アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、並びに、ＯＦＤＭＡを採用する、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは３ＧＰＰ団体からの文書に記載されている。ＣＤＭＡ２０００およびＵＭＢは３ＧＰＰ２団体からの文書に記載されている。採用される実際のワイヤレス通信規格および多元接続技術は、特定の適用例およびシステムに課された全体的な設計制約に依存することになる。
【００１７】
[0025]  ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（例えば、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々は、そのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００１８】
[0026]  空間多重化は、一般的に、チャネル状態が良いときに使用される。チャネル状態があまり好ましくないときは、送信エネルギーを１つまたは複数の方向に集中させるためにビームフォーミングが使用され得る。これは、複数のアンテナを介した送信のためのデータを空間的にプリコーディングすることによって達成され得る。セルのエッジにおいて良好なカバレージを達成するために、送信ダイバーシティと組み合わせてシングルストリームビームフォーミング送信が使用され得る。
【００１９】
[0027]  以下の詳細な説明では、アクセスネットワークの様々な態様がＤＬ上でＯＦＤＭをサポートするＭＩＭＯシステムを参照して説明される。ＯＦＤＭは、ＯＦＤＭシンボル内のいくつかのサブキャリアを介してデータを変調するスペクトル拡散技法である。サブキャリアは正確な周波数で離間される。離間は、受信機がサブキャリアからデータを復元することを可能にする「直交性」を与える。時間領域では、ガードインターバル（例えば、サイクリックプレフィックス）がＯＦＤＭシンボル間干渉をなくすために各ＯＦＤＭシンボルに追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００２０】
[0028]  図３は、ＬＴＥにおけるＤＬフレーム構造の一例を示す図３００である。フレーム（１０ｍｓ）は、０〜９のインデックスをもつ等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素（resource element）に分割される。ＬＴＥでは、リソースブロックが、周波数領域に１２個の連続するサブキャリアを含んでおり、各ＯＦＤＭシンボルにおけるノーマルサイクリックプレフィックスについて、時間領域に７つの連続するＯＦＤＭシンボル、または８４個のリソース要素を含んでいる。拡張サイクリックプレフィックスについて、リソースブロックは、時間領域に６つの連続するＯＦＤＭシンボルを含んでおり、７２個のリソース要素を有する。Ｒ３０２、３０４として示されるリソース要素のいくつかはＤＬ基準信号（ＤＬ−ＲＳ）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は変調方式に依存する。従って、ＵＥが受信するリソースブロックが多いほど、また変調方式が高いほど、ＵＥのデータレートは高くなる。
【００２１】
[0029]  ＬＴＥでは、ｅＮＢが、ｅＮＢにおける各セルについて１次同期信号（ＰＳＳ：primary synchronization signal）と２次同期信号（ＳＳＳ：secondary synchronization signal）とを送り得る。１次同期信号および２次同期信号は、それぞれ、ノーマルサイクリックプレフィックス（ＣＰ）をもつ各無線フレームのサブフレーム０および５の各々内のシンボル期間６および５において送られ得る。同期信号はセル検出および収集のためにＵＥによって使用され得る。ｅＮＢは、サブフレーム０のスロット１におけるシンボル期間０〜３において物理ブロードキャストチャネル（ＰＢＣＨ：Physical Broadcast Channel）を送り得る。ＰＢＣＨはあるシステム情報を搬送し得る。
【００２２】
[0030]  ｅＮＢは、各サブフレームの第１のシンボル期間において物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ただし、Ｍは、１、２または３に等しくなり得、サブフレームごとに変化し得る。Ｍはまた、例えば、リソースブロックが１０個未満である、小さいシステム帯域幅では４に等しくなり得る。ｅＮＢは、各サブフレームの最初のＭ個のシンボル期間において物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。ＰＨＩＣＨは、ハイブリッド自動再送要求（ＨＡＲＱ：hybrid automatic repeat request）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間において物理ダウンリンク共有チャネル（ＰＤＳＣＨ：Physical Downlink Shared Channel）を送り得る。ＰＤＳＣＨは、ダウンリンク上でのデータ送信がスケジュールされたＵＥのためのデータを搬送し得る。
【００２３】
[0031]  ｅＮＢは、ｅＮＢによって使用されるシステム帯域幅の中心１．０８ＭＨｚにおいてＰＳＳ、ＳＳＳ、およびＰＢＣＨを送り得る。ｅＮＢは、これらのチャネルが送られる各シンボル期間においてシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、全てのＵＥにブロードキャスト方式でＰＳＳ、ＳＳＳ、ＰＢＣＨ、ＰＣＦＩＣＨ、およびＰＨＩＣＨを送り得、特定のＵＥにユニキャスト方法でＰＤＣＣＨを送り得、また特定のＵＥにユニキャスト方法でＰＤＳＣＨを送り得る。
【００２４】
[0032]  各シンボル期間においていくつかのリソース要素が利用可能であり得る。各リソース要素（ＲＥ）は、１つのシンボル期間において１つのサブキャリアをカバーし得、実数値または複素数値であり得る１つの変調シンボルを送るために使用され得る。各シンボル期間において基準信号のために使用されない複数のリソース要素は、複数のリソース要素グループ（ＲＥＧ：resource element group）に配置され得る。各ＲＥＧは１つのシンボル期間において４つのリソース要素を含み得る。ＰＣＦＩＣＨは、シンボル期間０において、周波数にわたってほぼ等しく離間され得る、４つのＲＥＧを占有し得る。ＰＨＩＣＨは、１つまたは複数の構成可能なシンボル期間において、周波数にわたって拡散され得る、３つのＲＥＧを占有し得る。例えば、ＰＨＩＣＨのための３つのＲＥＧは、全てシンボル期間０に属し得るか、またはシンボル期間０、１、および２に拡散され得る。ＰＤＣＣＨは、例えば、最初のＭ個のシンボル期間において、利用可能なＲＥＧから選択され得る、９、１８、３６、または７２個のＲＥＧを占有し得る。ＲＥＧのいくつかの組合せのみがＰＤＣＣＨに対して可能にされ得る。
【００２５】
[0033]  ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索する組合せの数は、一般に、ＰＤＣＣＨに対して可能にされた組合せの数よりも少ない。ｅＮＢは、ＵＥが探索することになる組合せのいずれかにおいてＵＥにＰＤＣＣＨを送り得る。
【００２６】
[0034]  図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション内のリソースブロックは、制御情報の送信のためにＵＥに割り当てられ得る。データセクションは、制御セクションに含まれない全てのリソースブロックを含み得る。ＵＬフレーム構造は、単一のＵＥがデータセクション内の連続サブキャリアの全てを割り当てられることを可能にし得る、連続サブキャリアを含むデータセクションを生じる。
【００２７】
[0035]  ＵＥは、ｅＮＢに制御情報を送信するために、制御セクション内のリソースブロック４１０ａ、４１０ｂを割り当てられ得る。ＵＥは、ｅＮＢにデータを送信するために、データセクション内のリソースブロック４２０ａ、４２０ｂをも割り当てられ得る。ＵＥは、制御セクション内の割り当てられたリソースブロック上の物理ＵＬ制御チャネル（ＰＵＣＣＨ：physical UL control channel）において制御情報を送信し得る。ＵＥは、データセクション内の割り当てられたリソースブロック上の物理ＵＬ共有チャネル（ＰＵＳＣＨ：physical UL shared channel）においてデータのみまたはデータと制御情報の両方を送信し得る。ＵＬ送信は、サブフレームの両方のスロットにわたり得、周波数上でホッピングし得る。
【００２８】
[0036]  初期システムアクセスを行い、物理ランダムアクセスチャネル（ＰＲＡＣＨ：physical random access channel）４３０においてＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）においてまたは少数の連続サブフレームのシーケンスにおいて搬送され、ＵＥはフレーム（１０ｍｓ）ごとに単一のＰＲＡＣＨ試みのみを行うことができる。
【００２９】
[0037]  図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１、レイヤ２、およびレイヤ３の３つのレイヤで示される。レイヤ１（Ｌ１レイヤ）は最下位レイヤであり、様々な物理レイヤ信号処理機能を実装する。Ｌ１レイヤは本明細書で物理レイヤ５０６と呼ばれる。レイヤ２（Ｌ２レイヤ）５０８は、物理レイヤ５０６の上にあり、物理レイヤ５０６を介したＵＥとｅＮＢとの間のリンクを担当する。
【００３０】
[0038]  ユーザプレーンでは、Ｌ２レイヤ５０８が、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（例えば、ＩＰレイヤ）と、接続の他端（例えば、ファーエンドＵＥ、サーバなど）において終端されるアプリケーションレイヤとを含めてＬ２レイヤ５０８の上にいくつかの上位レイヤを有し得る。
【００３１】
[0039]  ＰＤＣＰサブレイヤ５１４は、異なる無線ベアラと論理チャネルとの間で多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、消失データパケットの再送信と、ハイブリッド自動再送要求（ＨＡＲＱ）による、順が狂った受信(out-of-order  reception)を補正するためのデータパケットの並べ替えとを行う。ＭＡＣサブレイヤ５１０は、論理チャネルとトランスポートチャネルとの間の多重化を行う。ＭＡＣサブレイヤ５１０はまた、１つのセル内の様々な無線リソース（例えば、リソースブロック）をＵＥの間で割り振ることを担当する。ＭＡＣサブレイヤ５１０はまたＨＡＲＱ動作を担当する。
【００３２】
[0040]  制御プレーンでは、ＵＥおよびｅＮＢのための無線プロトコルアーキテクチャが、制御プレーンのためのヘッダ圧縮機能のないことを除いて、物理レイヤ５０６およびＬ２レイヤ５０８について実質的に同じである。制御プレーンはまた、レイヤ３（Ｌ３レイヤ）内に無線リソース制御（ＲＲＣ）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００３３】
[0041]  図６は、アクセスネットワークにおいてＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５はＬ２レイヤの機能を実装する。ＤＬでは、コントローラ／プロセッサ６７５が、様々な優先度メトリックに基づいて、ヘッダ圧縮と、暗号化と、パケットのセグメンテーションおよび並べ替えと、論理チャネルとトランスポートチャネルとの間の多重化と、ＵＥ６５０への無線リソース割振りとを行う。コントローラ／プロセッサ６７５はまた、ＨＡＲＱ動作と、消失パケットの再送信と、ＵＥ６５０へのシグナリングとを担当する。
【００３４】
[0042]  送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（例えば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。コーディングされ、変調されたシンボルは、次いで、並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域において基準信号（例えば、パイロット）と多重化され、次いで逆高速フーリエ変換（ＩＦＦＴ：Inverse Fast Fourier Transform）を使用して互いに合成される。ＯＦＤＭストリームは、複数の空間ストリームを生成するために空間的にプリコーディングされる。チャネル推定器６７４からのチャネル推定値は、コーディングおよび変調方式を決定するために、並びに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられる。各送信機６１８ＴＸは、送信のために該当の空間ストリームでＲＦキャリアを変調する。
【００３５】
[0043]  ＵＥ６５０において、各受信機６５４ＲＸは、その該当のアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６はＬ１レイヤの様々な信号処理機能を実装する。ＲＸプロセッサ６５６は、ＵＥ６５０に宛てられた任意の空間ストリームを復元するために、情報に対して空間処理を行う。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで、高速フーリエ変換（ＦＦＴ）を使用してＯＦＤＭシンボルストリームを時間領域から周波数領域に変換する。周波数領域信号はＯＦＤＭ信号のサブキャリアごとに別々のＯＦＤＭシンボルストリームを備える。各サブキャリア上のシンボルと、基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３６】
[0044]  コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、制御／プロセッサ６５９が、コアネットワークからの上位レイヤパケットを復元するために、トランスポートチャネルと論理チャネルとの間での多重分離と、パケットリアセンブリと、復号と、ヘッダの復元と、制御信号処理とを行う。上位レイヤパケットは、次いで、Ｌ２レイヤの上の全てのプロトコルレイヤを表す、データシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用する誤り検出を担当する。
【００３７】
[0045]  ＵＬでは、データソース６６７が、コントローラ／プロセッサ６５９に上位レイヤパケットを与えるために使用される。データソース６６７はＬ２層の上の全てのプロトコル層を表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、消失パケットの再送信、およびｅＮＢ６１０へのシグナリングを担当する。
【００３８】
[0046]  ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のために該当の空間ストリームでＲＦキャリアを変調する。
【００３９】
[0047]  ＵＬ送信は、ＵＥ６５０における受信機機能に関して説明した方法と同様の方法でｅＮＢ６１０において処理される。各受信機６１８ＲＸは、その該当のアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００４０】
[0048]  コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、制御／プロセッサ６７５が、ＵＥ６５０からの上位レイヤパケットを復元するために、トランスポートチャネルと論理チャネルとの間での多重分離と、パケットリアセンブリと、復号と、ヘッダの復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用する誤り検出を担当する。
【００４１】
[0049]  コントローラ／プロセッサ６７５、６５９は、それぞれ、ｅＮＢ６１０における動作およびＵＥ６５０における動作を命じ得る。ＵＥ６５０におけるコントローラ／プロセッサ６５９並びに／あるいは他のプロセッサおよびモジュールは、動作、例えば、図８の動作８００、および／または、例えば、本明細書で説明する技法のための他のプロセスを行ったり命じたりし得る。ＵＥ６１０におけるコントローラ／プロセッサ６７５並びに／あるいは他のプロセッサおよびモジュールは、動作、例えば、図７の動作７００、および／または、例えば、本明細書で説明する技法のための他のプロセスを行ったり命じたりし得る。態様では、図６に示された構成要素のいずれかのうちの１つまたは複数が、例示的な動作７００、８００および／または本明細書で説明する技法のための他のプロセスを行うために採用され得る。メモリ６７６および６６０は、それぞれ基地局６１０およびＵＥ６５０のためのデータおよびプログラムコードを記憶し得る。
ＬＴＥにおける適応アンテナ管理
[0050]  本開示のいくつかの態様によれば、異なるワイヤレスプロトコル、例えば、ＬＴＥおよびＷｉＦｉ（登録商標）はデバイスにおいて同じ物理アンテナのサブセットを共有し得る。アンテナは同時に複数のプロトコルのために使用されないが、代わりに、デバイスは時間とともにプロトコル間でアンテナを切り替える。物理アンテナの切替えは比較的速い時間スケール上で、例えば、１０〜１００ｍｓで行われ得る。これはＬＴＥにおける一般的なＲＲＣ再構成期間よりも速い。デバイスは、サブフレーム単位スケール上でアンテナを切り替え得るが、通常、それは約１０〜１００ｍｓ（すなわち、ＬＴＥでは１０〜１００個のサブフレーム）ごとに１回アンテナを切り替える。いくつかのプロトコル、例えば、ＷｉＦｉの分散媒体アクセス制御は、そのような比較的速い切替え時間を誘導する。プロトコル間の物理アンテナの切替えは適応アンテナ管理と呼ばれる。
【００４２】
[0051]  異なるプロトコルが同時にデバイス上でアクティブであり得る。これは、１つのプロトコルのためにあるアンテナを使用すると同時に別のプロトコルのために他のアンテナを使用するデバイスによって可能である。例えば、４つの物理アンテナをもつＵＥは以下の構成間で切り替え得る。
【００４３】
【表１】
2018026820.tif 000003
【００４４】
[0052]  適応アンテナ管理はダウンリンク通信とアップリンク通信の両方に影響を及ぼす。適応アンテナ管理を行うＵＥからのチャネル状態情報（ＣＳＩ）フィードバックが、異なる構成またはモード間で切り替えることに関与するシステムトレードオフのインジケーション(indication)をネットワークに与えることが望ましい。
【００４５】
[0053]  ＬＴＥにおけるＣＳＩフィードバックは、公開されている「Evolved Universal Terrestrial Radio Access (E-UTRA); Physical layer procedures」と題する３ＧＰＰ  ＴＳ３６．２１３に記載されている。ＬＴＥにおけるＣＳＩフィードバックは以下の情報を備える。
【００４６】
【表２】
2018026820.tif 000004
【００４７】
注：ＲＩ／ＰＭＩフィードバックが（例えば、ＴＤＤにおいて）構成されない場合、ＣＱＩのみが報告される。
【００４８】
[0054]  ＬＴＥは、周期的ＣＳＩフィードバックと非周期的ＣＳＩフィードバックとの２つのタイプのＣＳＩフィードバックをサポートする。非周期フィードバックは、要求ごとに行われ、ＰＤＣＣＨ上の許可を通してネットワークによってトリガされる。非周期フィードバックの報告はＰＵＳＣＨを使用し、周期フィードバックはＰＵＣＣＨを使用して報告され得る。従って、非周期フィードバックの報告は、ＰＵＳＣＨがＰＵＣＣＨよりも大きいペイロードを搬送し得るので、より高いペイロード送信をサポートし得る。異なる性能／オーバーヘッドトレードオフをターゲットにする様々な報告モードが定義されている。
【００４９】
[0055]  周期フィードバックは、定期的にスケジュールされた間隔で行われる。様々な報告モードが仕様において定義されている（例えば、ＰＵＣＣＨ１−１、ＰＵＣＣＨ２−１など）。周期フィードバックは、半静的に構成された特定のタイムラインに続く（例えば、周期フィードバックはＲＲＣシグナリングによって構成され得る）。周期フィードバック報告のペイロードはＰＵＣＣＨ上で搬送されるように意図されているので、周期フィードバック報告は非周期フィードバック報告と比較して限られたペイロードを有する。
【００５０】
[0056]  特定の報告モードに応じて、ＰＭＩおよび／またはＣＱＩは広帯域またはサブバンドベースで報告され得る。サブバンドベースで報告される場合、ＵＥによって報告されるＣＱＩは、対応するサブバンドのみの上でチャネル状態を反映すべきである。
【００５１】
[0057]  ネットワークとＵＥの両方は、チャネルフィードバックと復調仮定とを整合(align)させるために、切替え（すなわち、適応アンテナ管理下でのアンテナの切替え）がいつ行われ得るかを知っていなければならない。ダウンリンク送信のために、ネットワークとＵＥは両方とも、ＣＳＩ報告仮定を整合させ、正しいＰＤＳＣＨ復調を可能にするために使用されている物理アンテナの数に気づいていなければならない。アップリンク送信のために、ネットワークとＵＥは両方とも、ＳＲＳ送信をＰＵＳＣＨスケジューリングと整合させるために使用されている物理アンテナの数に気づいていなければならない。
【００５２】
[0058]  本開示のいくつかの態様によれば、適応アンテナ管理を行いながらＵＬ動作を維持するために、デバイスは、ワイヤレスプロトコルのために使用される物理アンテナが時間とともに変化するとき、アンテナポート仮想化と電力制御とを管理するためのステップを取り得る。例えば、デバイスは、適応アンテナ管理の下でアンテナを切り替えるとき、ＬＴＥのためにもはや使用されないアンテナから、ＬＴＥのためにまだ使用されるアンテナに、アンテナポートを再マッピングし得る。
【００５３】
[0059]  本開示のいくつかの態様によれば、デバイスは、アンテナ構成が変化させられ得るとき、別個のアンテナ仮説の下でコンカレントサウンディング基準信号（ＳＲＳ）送信を管理し得る。例えば、デバイスは、各アンテナ構成を使用して送信されるＳＲＳの異なるセットに基づいてチャネル状態を追跡し得る。
【００５４】
[0060]  本開示のいくつかの態様によれば、デバイスおよびネットワークは、複数のアンテナ仮説下でのＣＳＩ報告と、「現在の」アンテナ仮説のみを使用するＣＳＩ報告の両方をサポートし得る。例えば、ネットワークは、デバイスによって使用される各アンテナ構成のための別個のＣＳＩ情報を維持し得、デバイスは、非周期ＣＳＩ報告を送信するとき、複数のアンテナ仮説の下でＣＳＩを報告し得、デバイスの周期ＣＳＩ報告は、周期報告が送信されるとき、使用中のアンテナ仮説のためのＣＳＩのみを含む。
【００５５】
[0061]  本開示のいくつかの態様によれば、プロトコルによって使用される物理アンテナの数はそのプロトコルによる通信にとって利用可能なランクに直接影響を及ぼすので、デバイスおよびネットワークは適切なＲＩビット幅を決定しなければならない。例えば、４つのアンテナを装備したデバイスは、最高ランク４の通信をサポートすることができ、デバイスがサポートし得る最高４つの異なるランク（すなわち、ランク１、２、３、および４）を報告するために２ビットを必要とするが、２つのアンテナを装備したデバイスは、最高ランク２の通信をサポートすることができ、デバイスがサポートできる２つの異なるランクを報告するために１ビットのみを必要とする。
【００５６】
[0062]  本開示のいくつかの態様によれば、切替えポイントの周期性、および／または切替えポイントとアンテナ仮説の実際の切替えとの間のオフセット（すなわち、タイミングオフセット）が明示的に定義される。例えば、切替えポイントの周期性およびオフセットは、通信規格によって明示的に定義されるか、またはサービングセルからのＲＲＣシグナリングによって全ての被サービスＵＥのために構成され得る。
【００５７】
[0063]  本開示のいくつかの態様によれば、ＵＥは、ＵＥが使用しているかまたは使用していることになる選択されたアンテナ仮説のインジケーション(indication)をネットワークにシグナリングし得る。例えば、ＵＥは、それの選択されたアンテナ仮説をＰＵＣＣＨにおける１つまたは複数のビットでシグナリングし得る。
【００５８】
[0064]  本開示のいくつかの態様によれば、ネットワークは、どのアンテナ仮説を使用すべきかを決定し、ＵＥにシグナリングし得る。例えば、ネットワーク（例えば、サービングセル）は、２つのアンテナを使用するようにＵＥに命令する制御シグナリングを（例えば、ＰＤＣＣＨを介して）ＵＥに送信し得る。
【００５９】
[0065]  本開示のいくつかの態様によれば、ＤＬ動作のためのアンテナ仮説は、ＵＬ動作のためのアンテナ仮説を切り替えることの決定に続くように切り替えられるか、またはその逆も同様である。例えば、ＵＥは、デバイスがＵＬ動作のために２つのアンテナに切り替えていることをＰＵＣＣＨにおいてシグナリングし得、ＵＥのサービングセルは、次いで、２アンテナ仮説に基づいてＵＥに送信（すなわち、ＤＬ動作）し得る。
【００６０】
[0066]  本開示のいくつかの態様によれば、デバイスのＤＬアンテナおよびＵＬアンテナが別個である場合、それぞれＤＬ動作およびＵＬ動作のために異なるアンテナ仮説がサポートされ得る。例えば、デバイスは、ＵＬ動作のために２つのアンテナを有し、ＤＬ動作のために４つのアンテナを有し得、デバイスおよびネットワークは、２アンテナ仮説を使用してＵＬ動作を行い、４アンテナ仮説を使用してＤＬ動作を行い得る。
【００６１】
[0067]  本開示のいくつかの態様によれば、デバイスは、複数のアンテナ仮説に関するＣＳＩフィードバックを供給する。例えば、デバイスは、２アンテナ仮説に基づいて選択されたＰＭＩおよびＣＱＩと、４アンテナ仮説に基づいて選択された別のＰＭＩおよびＣＱＩとを含む非周期ＣＳＩ報告を送り得、ネットワークは、ＰＭＩのセットとＣＱＩのセットの両方を受信し、使用し得る。これは、特に、システム−トレードオフが必要とされるとき、ネットワークが、どのアンテナ仮説を使用すべきかに影響を及ぼすか、またはどのアンテナ仮説を使用すべきかを決定すべき場合に有用であり得、例えば、場合によってはキャリアアグリゲーション（ＣＡ）のために利用され得るアンテナが使用され得る場合、ネットワークは、どのアンテナ仮説がネットワークスループットなどを最大にするかを決定できる。
【００６２】
[0068]  本開示のいくつかの態様によれば、ＵＥにおけるダウンリンク送信のためのアンテナ仮説は、ＵＥからの最近のＣＳＩ報告に基づいてネットワークによって推論され得る。例えば、４つのアンテナをもつＵＥが、２アンテナ仮説に基づいて周期ＣＳＩ報告を送る場合、ＵＥのサービングセル（すなわち、ネットワーク）は、２アンテナ仮説がＵＥへのＤＬ送信のために使用されるべきであると推論する。ネットワークにアンテナ仮説を推論させることにより、ＣＳＩフィードバックがＵＥ復調仮定にリンクされ得る。
【００６３】
[0069]  本開示のいくつかの態様によれば、ＵＥ復調のためのアンテナ仮説は直近のＣＳＩ報告と整合される。例えば、サービングセルは、直近のＣＳＩ報告から推論されたアンテナ仮説に一致するために、その報告が周期であるのか非周期であるのかにかかわらず、ＵＥ復調のためのアンテナ仮説を切り替え得る。
【００６４】
[0070]  本開示のいくつかの態様によれば、ネットワークは、周期ＣＳＩフィードバックのみから、ＵＥにおいてＤＬ送信のために使用されるアンテナ仮説を推論し得る。例えば、サービングセルは、非周期ＣＳＩ報告を受信したときＵＥ復調のためにアンテナ仮説を切り替えないが、直近の周期ＣＳＩ報告から推論されたアンテナ仮説に一致するためにＵＥ復調のためのアンテナ仮説を切り替え得る。
【００６５】
[0071]  本開示のいくつかの態様によれば、ネットワークは、非周期ＣＳＩフィードバックのみから、ＵＥにおいてＤＬ送信のために使用されるアンテナ仮説を推論し得る。例えば、サービングセルは、周期ＣＳＩ報告に応答してＵＥ復調のためにアンテナ仮説を切り替えないが、直近の非周期ＣＳＩ報告から推論されたアンテナ仮説に一致するためにＵＥ復調のためのアンテナ仮説を切り替え得る。
【００６６】
[0072]  本開示のいくつかの態様によれば、ネットワークは、周期ＣＳＩフィードバックと非周期ＣＳＩフィードバックの両方から、ＵＥにおいてＤＬ送信のために使用されるアンテナ仮説を推論し得る。例えば、サービングセルは、最近のＣＳＩ報告のセットから推論された最も一般的に行われるアンテナ仮説に基づいて、ＵＥ復調のためのアンテナ仮説を切り替え得る。
【００６７】
[0073]  本開示のいくつかの態様によれば、ＵＥは、ＣＳＩ報告が行われるサブフレームにおいてのみＤＬ復調のためのアンテナ仮説を変更し得る、すなわち、アンテナ仮説変化はＣＳＩ報告に一致し得る。例えば、ＵＥは、ＵＥがいくつかのアンテナをＬＴＥをサポートすることからＷｉＦｉをサポートすることに切り替えるべきであると決定し、次いで、アンテナを切り替える前にＣＳＩをＵＥが報告するサブフレームまで待ち得る。
【００６８】
[0074]  本開示のいくつかの態様によれば、ＵＥは、ＣＳＩ報告が行われるサブフレームのときに関係する時間に（例えば、予め定義された数のサブフレーム後に）のみ、ＤＬ復調ためのアンテナ仮説を変更し得る、すなわち、アンテナ仮説変化のタイミングはＣＳＩ報告タイミングに関係し得る。予め定義された数のサブフレームは、処理遅延を考慮するためのオフセットであり得る。例えば、ＵＥは、ＤＬ動作のためのアンテナを切り替える前に３つのサブフレームを待っている間に、ＣＳＩを報告し、ＵＬ動作のためのアンテナを直ちに変更し（すなわち、ＬＴＥ  ＵＬのためにより少数のアンテナを使用することを開始し、ＷｉＦｉ  ＵＬのためにより多くのアンテナを使用することを開始し）得る。
【００６９】
[0075]  ＤＬ復調のためのアンテナ仮説の変化が周期ＣＳＩ報告にリンクされる本開示のいくつかの態様によれば、アンテナ仮説は、ＣＳＩの特定の部分（例えばＲＩ、ＰＭＩ、またはＣＱＩ）が報告されるときにのみサブフレームにおいて変化し得る。例えば、ＤＬアンテナ仮説は、ＲＩが報告されるサブフレームにおいてのみ変化し得る。
【００７０】
[0076]  本開示のいくつかの態様によれば、アップリンク送信のための切替えポイントは、ＵＥがＳＲＳを送信するときにのみ生じ、すなわち、ＵＬアンテナ仮説変化はＳＲＳ送信に一致し得、さもなければ、アップリンク送信アンテナ構成の変化は可能にされない。例えば、ＵＥは、ＵＬ動作のためのアンテナの数が変更されるべきであると決定するが、切替えを行う前にＳＲＳをＵＥが送信するサブフレームまで待ち得る。本開示のいくつかの態様によれば、ＳＲＳ送信とＰＵＳＣＨ復調との間のリンケージが定義され、維持される。例えば、切替えポイント（すなわち、切り替える決定が行われ得る時間）は、ＵＥがＳＲＳを送信する各サブフレームにおいて生じ得、ＵＥおよびネットワークは、設定された数のサブフレーム後にＳＲＳ送信に基づいてＵＬアンテナ仮説（およびＰＵＳＣＨ復調）を変更し得る。
【００７１】
[0077]  図７は、本開示のいくつかの態様による、アンテナ構成間で切り替えるときにＵＥによって行われ得る例示的な動作７００を示す。
【００７２】
[0078]  動作７００は、７０２において、ＵＥがＵＬ通信またはＤＬ通信のうちの少なくとも１つのための異なるアンテナ構成間で切り替えるための切替えポイントを決定することによって開始し得る。７０４において、ＵＥは、決定に基づいて、ＣＳＩフィードバックまたはＵＬ基準信号のうちの少なくとも１つを送信するためのパラメータ（例えば、使用すべき物理アンテナの数）を調整する。
【００７３】
[0079]  図８は、本開示のいくつかの態様による、それのアンテナ構成を切り替えたＵＥと通信するときにＢＳによって行われる例示的な動作８００を示す。動作８００は、ＵＥ側動作７００を補足するＢＳ側動作と見なされ得る。
【００７４】
[0080]  動作８００は、８０２において、ＵＥがＵＬ通信またはＤＬ通信のうちの少なくとも１つのための異なるアンテナ構成間で切り替えるための切替えポイントを決定することによって開始し得る。８０４において、ＢＳは、決定に基づいてＣＳＩフィードバックまたはＵＬ基準信号のうちの少なくとも１つを処理するためのパラメータ（例えば、送信ＵＥのためのアンテナ仮定）を調整する。
【００７５】
[0081]  図９は、ＳＲＳ送信９０２、切替えポイント９０４、切替えポイントとアンテナ仮説切替えとの間のオフセット９０６、および特定のアンテナ仮説の使用の期間９０８を示すタイムライン９００を示す。本開示のいくつかの態様によれば、図示のように、ＳＲＳはＮ個のサブフレーム期間で送信される。各ＳＲＳ送信は切替えポイントを定義する。各ＳＲＳが送信された後、処理遅延を可能にするために、Ｌ個のサブフレームの追加のオフセットが使用される。Ｌ個のサブフレームのオフセットの満了後、デバイスはアンテナ仮説を切り替え得る。図９に示されているように、デバイスは、送信される各ＳＲＳのために１回アンテナ仮説を切り替え得る（しかし、切り替える必要はない）。
【００７６】
[0082]  本開示のいくつかの態様によれば、ＰＵＳＣＨ復調と周期ＳＲＳおよび非周期ＳＲＳの両方との間でリンケージが定義され得る。例えば、切替えポイントは、周期であるのか非周期であるのかにかかわらず、各ＳＲＳ送信とともに生じ得、ＰＵＳＣＨ復調は、各ＳＲＳ送信に関連するアンテナ仮説に基づいて変化し得る。ＳＲＳ送信とＰＵＳＣＨ復調との間で定義されたリンケージにより、ネットワークにおけるＰＵＳＣＨスケジューリングおよびプリコーダ選択は、Ｌ個のサブフレームの追加のオフセットを受ける、最新のＳＲＳ送信のアンテナ仮説に一致し得る。最新のＳＲＳとのＰＵＳＣＨのリンケージはアンテナ仮説の明示的シグナリングを回避し得る。このリンケージは、ＰＵＳＣＨ／ＳＲＳが整合させられることを保証するネットワークトランスペアレント手法(network transparent way)である。
【００７７】
[0083]  本開示のいくつかの態様によれば、ＰＵＳＣＨ復調と周期ＳＲＳのみとの間でリンクが定義され得る。例えば、ＵＥは、直近の周期ＳＲＳを送信する際に使用されたいくつかのアンテナを使用してＰＵＳＣＨを送信し得、ネットワークは、直近の周期ＳＲＳを送信する際にＵＥによって使用されたアンテナの数と同じアンテナの数であるアンテナ仮定に基づいてＰＵＳＣＨを復号し得る。
【００７８】
[0084]  本開示のいくつかの態様によれば、ＰＵＳＣＨ復調と非周期ＳＲＳのみとの間でリンクが定義され得る。例えば、ＵＥは、直近の非周期ＳＲＳを送信する際に使用されたいくつかのアンテナを使用してＰＵＳＣＨを送信し得、ネットワークは、直近の非周期ＳＲＳを送信する際にＵＥによって使用されたアンテナの数と同じアンテナの数であるアンテナ仮定に基づいてＰＵＳＣＨを復号し得る。
【００７９】
[0085]  本開示のいくつかの態様によれば、ＵＥは、１つまたは複数のアンテナ仮説のうちのいずれがＰＵＳＣＨスケジューリングのためにアクティブと仮定されるべきであるかを示す。例えば、ＵＥは、周期ＳＲＳに関連するアンテナ仮説が仮定されるべきであり、非周期ＳＲＳに関連する仮説が仮定されるべきでないことをＰＵＣＣＨにおいて示し得る。
【００８０】
[0086]  本開示のいくつかの態様によれば、ネットワークは、１つまたは複数のアンテナ仮説のうちのいずれがＰＵＳＣＨスケジューリングのためにアクティブと仮定されるべきであるかをシグナリングする。例えば、ネットワークは、周期ＳＲＳに関連するアンテナ仮説が仮定されるべきであり、非周期ＳＲＳに関連する仮説が仮定されるべきでないことを、ＵＥに送信されたＰＤＣＣＨにおいて示し得る。
【００８１】
[0087]  本開示のいくつかの態様によれば、デバイスのアンテナポート（ＡＰ）構成は、最も大きいサポートされたアンテナ仮説に基づき得、例えば、４つのＴＸアンテナおよび２つのＴＸアンテナがデバイスによってサポートされる場合、デバイスは４つのアップリンクアンテナポートを構成する。
【００８２】
[0088]  本開示のいくつかの態様によれば、デバイスは、最大数よりも少ない数の物理アンテナが使用されるときに使用すべきアンテナポート仮想化（すなわち、構成）を予め定義している。デバイスは、信号を基地局に送信するための複数の予め定義された仮想化のうちの１つを選択し得る。例えば、アンテナポート仮想化は、仕様において定義され、デバイスの不揮発性メモリに記憶され得る。
【００８３】
[0089]  本開示のいくつかの態様によれば、デバイスは以下の例示的なアンテナポート仮想化を使用し得る。最大４つのＴＸアンテナがサポートされるとき、２ＴＸアンテナ仮説は以下のように仮想化されることになる。
【００８４】
【表３】
2018026820.tif 000005
【００８５】
[0090]  本開示のいくつかの態様によれば、デバイスは、２つのアンテナポートを使用するのを控え得る（すなわち、送信はそれらのアンテナポートを使用しない）。デバイスは以下の例示的な仮想化を使用し得る。
【００８６】
【表４】
2018026820.tif 000006
【００８７】
[0091]  本開示のいくつかの態様によれば、アンテナ仮想化は様々な数のアンテナポートに対して同様に行われ得る。例えば、最大２つのＴＸアンテナをもつデバイスが１つのＴＸアンテナに切り替える場合。
【００８８】
【表５】
2018026820.tif 000007
【００８９】
[0092]  予め定義されたアンテナ仮想化は、いくつかの態様では、それが、どのアンテナ仮説が使用されるかを、例えば、ＳＲＳに基づいてネットワークが検出することを可能にするので有益であり得る。例えば、ネットワークが、ＳＲＳを受信し、ＡＰ４０および４１がそれぞれＡＰ４２および４３と高度に相関すると決定したとき、ネットワークは、２ＴＸアンテナ仮説が使用されたと推論し得る。本開示のいくつかの態様によれば、ネットワークはまた、そのデバイスとの通信のために使用され得る最大ランクを推論し得る。例えば、ネットワークが、ＵＥからＳＲＳを受信し、ＡＰ４０および４１がそれぞれＡＰ４２および４３と高度に相関すると決定したとき、ネットワークは、ＵＥが最大ランク２の通信をサポートできると推論し得る。
【００９０】
[0093]  対照的に、上述のＡＰ組合せが高度に相関しない場合、ネットワークは、４ＴＸアンテナ事例が適用されると推論し得る。
【００９１】
[0094]  本開示のいくつかの態様によれば、アンテナ仮想化は、同じアンテナ仮説に関連するＳＲＳ送信とＰＵＳＣＨ送信との間でそのまま維持される。例えば、デバイスは、第１の物理アンテナにマッピングされたアンテナポート４０および４２と、第２の物理アンテナにマッピングされたアンテナポート４１および４３とをもつ２つのアンテナを使用してＳＲＳを送信し、２つのアンテナを使用して送信されるＰＵＳＣＨのために同じマッピングを使用し得る（およびネットワークは、同じ仮説を使用して信号を復号する）。
【００９２】
[0095]  本開示のいくつかの態様によれば、電力レベルは、同じ物理アンテナにマッピングされたアンテナポートについて低減され得る。例えば、ＡＰ４０／４２および４１／４３のための電力レベルは、２つのＡＰが同じ物理アンテナにマッピングされた場合、低減され得る。
【００９３】
[0096]  本開示のいくつかの態様によれば、アップリンクＭＩＭＯ送信ランクは、ＳＲＳとＰＵＳＣＨとの間のリンケージをサポートすることによって暗黙的に適応させられる。最大数よりも少ない数のＡＰが使用される場合、ネットワークはアンテナのサブセットの間の高相関の結果としてランク欠如を検出する。例えば、ネットワークが、アンテナポート間の高相関を検出し、低減された数のアンテナを使用してＵＥが送信したと推論した場合、ネットワークは、ＵＥからの送信を復号する際に使用されるＭＩＭＯランクを低減し得る。
【００９４】
[0097]  本開示のいくつかの態様によれば、ネットワークは、デバイスによって使用中の対応するアンテナ仮説に関連する物理アンテナの数を超える送信ランクをスケジュールしない。例えば、ネットワークが、ＵＥが２つの物理アンテナを使用していると推論した場合、ネットワークはＵＥとの間でランク２またはランク１の送信のみをスケジュールする。
【００９５】
[0098]  本開示のいくつかの態様によれば、ネットワークが、それにもかかわらず、デバイスによって使用中の対応するアンテナ仮説に関連する物理アンテナの数を超える送信ランクをシグナリングする場合、ＵＥは、それにもかかわらず、ｅＮＢ（すなわち、ネットワーク）シグナリングに従い、アンテナ仮想化方式に一致したままであり得る。例えば、ＵＥが、２つの物理アンテナのみを使用しており、ネットワークによるランク４のＵＬ送信のためにスケジュールされた場合、ＵＥは、割り当てられた時間周波数リソースと、４つのアンテナポートおよび２つの物理アンテナのために定義されたアンテナポート仮想化方式とを使用するランク２のＵＬ送信を使用して送信し得る。
【００９６】
[0099]  本開示のいくつかの態様によれば、複数のアンテナ仮説下でのｅＮＢにおけるコンカレントＣＳＩ推定を可能にするために、複数のＳＲＳ構成が定義され得る。これは、ネットワークが、アンテナ切替えを決定するのを助け、ＵＬ性能が少なくとも部分的にこの選択を決定する場合、有益であり得る。例えば、２アンテナＳＲＳ構成および４ＳＲＳアンテナ構成が定義され得、ＵＥは、両方の構成を使用してＳＲＳを送信し、ｅＮＢが両方の仮説のためのＣＳＩを決定することが可能になり得る。
【００９７】
[0100]  ＤＬ復調のためのアンテナ仮説の変化が非周期ＣＳＩ報告のみにリンクされる本開示のいくつかの態様によれば、周期ＣＳＩ報告は慎重なアンテナ仮説（例えば、最小数のＲＸアンテナを必要とする仮説）の下で行われ得る。慎重なアンテナ仮説の下で周期報告を行うことは、ＣＳＩが、常に、ＵＥをスケジュールするために利用可能であることを保証する。例えば、ＵＥは４つのアンテナを有し得、２つが常にＬＴＥのために使用され、２つがＬＴＥとＷｉＦｉとの間で切り替えることを可能にされる。この例では、ＵＥが常に２アンテナ仮説を用いて周期ＣＳＩ報告を行い、従って、ネットワークがＵＥへのＤＬ送信をスケジュールする場合、ネットワークは、２アンテナ仮説に基づいてそれをスケジュールし、ＵＥは、常に、ＤＬ送信を受信するために（ＵＥは、常に、ＬＴＥ送信を受信するために２つのアンテナを使用するので）利用可能な２つのアンテナを有する。
【００９８】
[0101]  本開示のいくつかの態様によれば、非周期ＣＳＩ報告は、ＵＥにおいて現在アクティブなアンテナ仮説を反映し得る（例えば、２つのＲＸアンテナ対４つのＲＸアンテナの切替え）。これらの態様では、ネットワークが非周期ＣＳＩ報告を受信したとき、ネットワークが現在のアンテナ仮説を暗黙的に通知される。
【００９９】
[0102]  本開示のいくつかの態様によれば、ネットワークは、より最近の非周期ＣＳＩ報告が別様に示すまでアンテナ仮説が有効なままであると仮定し得る。
【０１００】
[0103]  本開示のいくつかの態様によれば、ネットワークは、一定数のサブフレームが過ぎる（例えば、ネットワークが長時間別の非周期ＣＳＩ報告をトリガしない場合に備えて予め定義された満了）までアンテナ仮説が有効なままであると仮定し得る。例えば、ＵＥは、４アンテナ仮説に基づいて非周期ＣＳＩ報告を送信し得、ネットワークは、最高１０個のサブフレームの間４アンテナ仮説に基づいてＵＥに送信し得るが、１０個のサブフレームの後のネットワークからＵＥへの送信は、２アンテナ仮説に基づいて送信される。
【０１０１】
[0104]  本開示のいくつかの態様によれば、複数のアンテナ仮説下でのＣＳＩフィードバックがサポートされ得る。例えば、ＵＥは、２アンテナ仮説に基づいて選択されたＰＭＩおよびＣＱＩと、４アンテナ仮説に基づいて選択された別のＰＭＩおよびＣＱＩとを含む非周期ＣＳＩ報告を送り得る。これは、ネットワークがアンテナ仮説の選択に影響を及ぼすかまたはその選択を決定する場合に有益であり得る。
【０１０２】
[0105]  本開示のいくつかの態様によれば、１つまたは複数のアンテナ仮説のうちのいずれがＣＳＩを導出する際に仮定されたかを示すインジケータが、既存のＣＳＩフィードバックペイロードに追加され得る。例えば、ビットがＣＳＩフィードバックペイロード内に含まれ得、ここにおいて、ＣＳＩがそれぞれアンテナの最小数または最大数に基づく場合、ビットは０または１に設定される。ＣＳＩを導出する際に使用されたアンテナ仮説をネットワークに通知するためのインジケータを含むことにより、ネットワークは各アンテナ仮説のために別々に平均化を行うことが可能になり得る。
【０１０３】
[0106]  本開示のいくつかの態様によれば、複数のアンテナ仮説のフィードバックが同じＣＳＩ報告に組み合わせられ得る。これは、現在アクティブなアンテナ仮説と、より少ない数のアンテナを利用する他の仮説とに対してのみ実現可能であり得る。例えば、ＵＥが現在４つのＲＸアンテナを使用する場合、ＵＥは４アンテナベースの報告と２アンテナベースの報告の両方を生成し得る。逆に、ＵＥが現在２つのＲＸアンテナのみをサポートする場合、それは、例えば、他のアンテナの利用可能性の欠如により、２アンテナベースの報告のみを与え得る。
【０１０４】
[0107]  本開示のいくつかの態様によれば、アンテナ切替えを行わないデバイスでは、ＣＳＩ報告のＲＩビット幅が、ｅＮＢアンテナ構成とＵＥ受信アンテナの数の両方に依存する最大サポート可能ランクに基づいて決定される。
【０１０５】
[0108]  本開示のいくつかの態様によれば、アンテナ切替えを行うデバイスのためのＣＳＩ報告のＲＩビット幅は、サポートされたアンテナ仮説にわたるレイヤの最大サポート可能数に基づいて定義される。例えば、デバイスが、４つのアンテナを有するが、ＬＴＥのために２つのアンテナのみを使用している場合、２つのアンテナは２つのレイヤのみをサポートできるので、ＲＩビット幅は２つのレイヤに基づく（すなわち、１ビットのみが必要とされる）。
【０１０６】
[0109]  本開示のいくつかの態様によれば、ＲＩビット幅は周期フィードバックおよび非周期フィードバックのために別々に決定される。例えば、４つのアンテナをもつＵＥが４アンテナ仮説に基づいて非周期ＣＳＩ報告を行う場合、ＲＩビット幅は、４アンテナ仮説によってサポートされる４つのレイヤに基づいて、２ビットであり得る。２アンテナ仮説に基づいて周期ＣＳＩ報告を行う同じＵＥは、周期ＣＳＩ報告において１ピットのＲＩビット幅を使用することになる。
【０１０７】
[0110]  本開示のいくつかの態様によれば、ＣＳＩフィードバックおよびＵＥ能力インジケーション(indication)のために、最小数の利用可能なアンテナが使用され得る。例えば、ＬＴＥのために少なくとも２つのアンテナを常に使用する４つのアンテナをもつＵＥは、ＵＥのＣＳＩ報告の全てを２アンテナ仮説に基づかせ得る。最小数の利用可能なアンテナをＣＳＩフィードバックおよびＵＥ能力インジケーションのために使用することは、複数のアンテナがＵＥにおいて利用可能であることをネットワークに対して完全に透過的にし得る。復調については、優れた復号性能を達成するために追加のアンテナが使用され得る。ネットワークによるリンク適応はＣＳＩフィードバックに基づくので、これらの態様では、リンク適応利得、またはＵＥアンテナの最小数に関連するランクよりも高いランクに対するサポートがない。これは、ネットワークに対して完全に透過的であるという利益を有し得、ネットワークは、いくつのＵＥアンテナが現在利用可能であるかをＰＤＳＣＨ送信のために知る必要がない。
【０１０８】
[0111]  本開示のいくつかの態様によれば、デバイスは、ＣＳＩフィードバックおよびＵＥ能力インジケーションのために使用されないアンテナからの信号、またはセル探索、ＰＢＣＨ復号、データ干渉消去（ＩＣ）のためのブラインド検出、ＰＢＣＨ、ＳＩＢ１などの近隣セルの情報を収集することのためのアンテナ信号のサブセットを使用し得る。
【０１０９】
[0112]  開示したプロセスにおけるステップの特定の順序または階層は、例示的な手法の一例であることを理解されたい。設計上の選好に基づいて、プロセスにおけるステップの特定の順序または階層は並べ替えられ得ることを理解されたい。さらに、いくつかのステップは組み合わされるかまたは省略され得る。添付の方法クレームは、様々なステップの要素を例示的な順序で提示したものであり、提示された特定の順序または階層に限定されるものでない。
【０１１０】
[0113]  本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【０１１１】
[0114]  以上の説明は、当業者が本明細書で説明した様々な態様を実施できるようにするために提供したものである。これらの態様に対する様々な変更は当業者には容易に明らかであり、本明細書で定義した一般原理は他の態様に適用され得る。従って、特許請求の範囲は、本明細書に示された態様に限定されるものでなく、特許請求の言い回しに矛盾しない全範囲を与えられるべきであり、単数形の要素への言及は、そのように明記されていない限り、「唯一無二の」を意味するものでなく、「１つまたは複数の」を意味するものである。別段に明記されていない限り、「いくつかの」という用語は１つまたは複数のを指す。当業者に知られている、または後で知られることになる、本開示全体にわたって説明した様々な態様の要素の全ての構造的および機能的均等物は、参照により本明細書に明確に組み込まれ、特許請求の範囲によって包含されるものとする。さらに、本明細書で開示したいかなることも、そのような開示が特許請求の範囲に明示的に具陳されているかどうかにかかわらず、公に供するものでない。いかなるクレーム要素も、その要素が「ための手段」という句を使用して明示的に具陳されていない限り、ミーンズプラスファンクションとして解釈されるべきでない。
【図１】
2018026820.tif 000008
【図２】
2018026820.tif 000009
【図３】
2018026820.tif 000010
【図４】
2018026820.tif 000011
【図５】
2018026820.tif 000012
【図６】
2018026820.tif 000013
【図７】
2018026820.tif 000014
【図８】
2018026820.tif 000015
【図９】
2018026820.tif 000016
【手続補正書】
【提出日】平成29年9月12日(2017.9.12)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
前記ＵＥがアップリンク通信またはダウンリンク通信のうちの少なくとも１つのための異なるアンテナ構成間で切り替えるための切替えポイントを、前記ＵＥが決定することと、ここにおいて、前記決定することは、チャネル状態情報（ＣＳＩ）フィードバックを送信することまたはアップリンク基準信号を送信することのうちの少なくとも１つの各送信タイミングに基づいて前記切替えポイントを導出することを備える、
前記ＵＥが、前記決定に基づいてチャネル状態情報（ＣＳＩ）フィードバックまたはアップリンク基準信号のうちの少なくとも１つを送信するためのパラメータを調整することと
を備える、方法。
【手続補正２】
【補正対象書類名】明細書
【補正対象項目名】０１１１
【補正方法】変更
【補正の内容】
【０１１１】
[0114]  以上の説明は、当業者が本明細書で説明した様々な態様を実施できるようにするために提供したものである。これらの態様に対する様々な変更は当業者には容易に明らかであり、本明細書で定義した一般原理は他の態様に適用され得る。従って、特許請求の範囲は、本明細書に示された態様に限定されるものでなく、特許請求の言い回しに矛盾しない全範囲を与えられるべきであり、単数形の要素への言及は、そのように明記されていない限り、「唯一無二の」を意味するものでなく、「１つまたは複数の」を意味するものである。別段に明記されていない限り、「いくつかの」という用語は１つまたは複数のを指す。当業者に知られている、または後で知られることになる、本開示全体にわたって説明した様々な態様の要素の全ての構造的および機能的均等物は、参照により本明細書に明確に組み込まれ、特許請求の範囲によって包含されるものとする。さらに、本明細書で開示したいかなることも、そのような開示が特許請求の範囲に明示的に具陳されているかどうかにかかわらず、公に供するものでない。いかなるクレーム要素も、その要素が「ための手段」という句を使用して明示的に具陳されていない限り、ミーンズプラスファンクションとして解釈されるべきでない。
以下に、本願の出願当初の特許請求の範囲に記載された発明を付記する。
［Ｃ１］
ユーザ機器（ＵＥ）によるワイヤレス通信のための方法であって、
前記ＵＥがアップリンク通信またはダウンリンク通信のうちの少なくとも１つのための異なるアンテナ構成間で切り替えるための切替えポイントを決定することと、
前記決定に基づいてチャネル状態情報（ＣＳＩ）フィードバックまたはアップリンク基準信号のうちの少なくとも１つを送信するためのパラメータを調整することと
を備える、方法。
［Ｃ２］
前記切替えポイントを決定することは、
前記ＣＳＩフィードバックを送信することまたはアップリンク基準信号を送信することのうちの少なくとも１つのタイミングに基づいて切替えポイントを導出すること
を備える、Ｃ１に記載の方法。
［Ｃ３］
ダウンリンクアンテナ構成間で切り替えるための切替えポイントは、前記ＵＥがＣＳＩフィードバックを送信するときと一致する、
Ｃ２に記載の方法。
［Ｃ４］
ダウンリンクアンテナ構成間で切り替えるための切替えポイントは、前記ＵＥがアップリンク基準信号を送信するときと一致する、
Ｃ２に記載の方法。
［Ｃ５］
前記切替えポイントを決定することは、
定義された周期性またはオフセットのうちの少なくとも１つに基づいて切替えポイントを決定することを備える、Ｃ１に記載の方法。
［Ｃ６］
切替えポイントの後に使用すべきアンテナ構成を選択することと、
前記選択されたアンテナ構成のインジケーションを与えることと
をさらに備える、Ｃ５に記載の方法。
［Ｃ７］
切替えポイントの後に使用すべきアンテナ構成のインジケーションを受信すること
をさらに備える、Ｃ５に記載の方法。
［Ｃ８］
複数のアンテナ構成のためにＣＳＩフィードバックを与えること
をさらに備える、Ｃ１に記載の方法。
［Ｃ９］
前記複数のアンテナ構成のために与えられた前記ＣＳＩフィードバックに少なくとも部分的に基づいて選択されたアンテナ構成のインジケーションを受信すること
をさらに備える、Ｃ８に記載の方法。
［Ｃ１０］
前記ＵＥは、アップリンク送信のために利用可能な物理アンテナの数に基づいて複数のアップリンクアンテナ構成で構成される、
Ｃ１に記載の方法。
［Ｃ１１］
選択されたアップリンクアンテナ構成上でアップリンク基準信号を送信すること
をさらに備える、Ｃ１に記載の方法。
［Ｃ１２］
前記ＵＥは、直近の送信されたＣＳＩフィードバックに対応するダウンリンク送信を処理するためのダウンリンクアンテナ構成を利用するように構成される、
Ｃ１に記載の方法。
［Ｃ１３］
アンテナ構成にわたるレイヤの最大サポート可能数に基づいてランクインジケーション（ＲＩ）ビット幅を決定すること
をさらに備える、Ｃ１に記載の方法。
［Ｃ１４］
周期フィードバックおよび非周期フィードバックのために別々にランクインジケーション（ＲＩ）ビット幅を決定すること
をさらに備える、Ｃ１に記載の方法。
［Ｃ１５］
基地局（ＢＳ）によるワイヤレス通信のための方法であって、
ユーザ機器（ＵＥ）がアップリンク通信またはダウンリンク通信のうちの少なくとも１つのための異なるアンテナ構成間で切り替えるための切替えポイントを決定することと、
前記決定に基づいてチャネル状態情報（ＣＳＩ）フィードバックまたはアップリンク基準信号のうちの少なくとも１つを処理するために使用されるパラメータを調整することと
を備える、方法。
［Ｃ１６］
前記切替えポイントを決定することは、
前記ＵＥが前記ＣＳＩフィードバックを送信することまたは前記ＵＥがアップリンク基準信号を送信することのうちの少なくとも１つのタイミングに基づいて切替えポイントを導出することを備える、Ｃ１５に記載の方法。
［Ｃ１７］
ダウンリンクアンテナ構成間で切り替えるための切替えポイントは、前記ＵＥがＣＳＩフィードバックを送信するときと一致する、
Ｃ１６に記載の方法。
［Ｃ１８］
ダウンリンクアンテナ構成間で切り替えるための切替えポイントは、前記ＵＥがアップリンク基準信号を送信するときと一致する、
Ｃ１６に記載の方法。
［Ｃ１９］
前記切替えポイントを決定することは、
定義された周期性またはオフセットのうちの少なくとも１つに基づいて切替えポイントを決定することを備える、
Ｃ１５に記載の方法。
［Ｃ２０］
切替えポイントの後に使用すべきアンテナ構成を選択することと、
前記選択されたアンテナ構成のインジケーションを前記ＵＥにシグナリングすることと
をさらに備える、Ｃ１９に記載の方法。
［Ｃ２１］
切替えポイントの後に使用中のアンテナ構成のインジケーションを受信すること
をさらに備える、Ｃ１９に記載の方法。
［Ｃ２２］
複数のアンテナ構成のためにＣＳＩフィードバックを受信すること
をさらに備える、Ｃ１５に記載の方法。
［Ｃ２３］
前記複数のアンテナ構成のために与えられた前記ＣＳＩフィードバックに少なくとも部分的に基づいて選択されたアンテナ構成のインジケーションを送信すること
をさらに備える、Ｃ２２に記載の方法。
［Ｃ２４］
前記ＵＥは、アップリンク送信のために利用可能な物理アンテナの数に基づいて複数のアップリンクアンテナ構成で構成される、
Ｃ１５に記載の方法。
［Ｃ２５］
選択されたアップリンクアンテナ構成上でアップリンク基準信号を受信すること
をさらに備える、Ｃ１５に記載の方法。
［Ｃ２６］
前記ＵＥは、直近の送信されたＣＳＩフィードバックに対応するダウンリンク送信を処理するためのダウンリンクアンテナ構成を利用するように構成される、
Ｃ１５に記載の方法。
［Ｃ２７］
アンテナ構成にわたるレイヤの最大サポート可能数に基づいてランクインジケーション（ＲＩ）ビット幅を決定すること
をさらに備える、Ｃ１５に記載の方法。
［Ｃ２８］
周期フィードバックおよび非周期フィードバックのために別々にランクインジケーション（ＲＩ）ビット幅を決定すること
をさらに備える、Ｃ１５に記載の方法。
［Ｃ２９］
ユーザ機器（ＵＥ）によるワイヤレス通信のための装置であって、
前記ＵＥはアップリンク通信またはダウンリンク通信のうちの少なくとも１つのための異なるアンテナ構成間で切り替えるための切替えポイントを決定することと、前記決定に基づいてチャネル状態情報（ＣＳＩ）フィードバックまたはアップリンク基準信号のうちの少なくとも１つを送信するためのパラメータを調整することとを行うように構成される少なくとも１つのプロセッサと、
前記少なくとも１つのプロセッサに結合されたメモリと
を備える、装置。
［Ｃ３０］
基地局（ＢＳ）によるワイヤレス通信のための装置であって、
ユーザ機器（ＵＥ）はアップリンク通信またはダウンリンク通信のうちの少なくとも１つのための異なるアンテナ構成間で切り替えるための切替えポイントを決定することと、前記決定に基づいてチャネル状態情報（ＣＳＩ）フィードバックまたはアップリンク基準信号のうちの少なくとも１つを処理するために使用されるパラメータを調整することとを行うように構成される少なくとも１つのプロセッサと、
前記少なくとも１つのプロセッサに結合されたメモリと
を備える、装置。
【外国語明細書】
2018026820000001.pdf